(57)【要約】【課題】キャスティング操作直後のスプール回転速度がピーク速度近辺に達したときに強い制動力を効果的に作用させることが可能な魚釣用リールを提供すること。【解決手段】リール本体１２に回転自在に支持したスプール１８の一側に、このスプールと共に回転するスプール軸２０に対して軸方向移動可能にかつ回り止めした導電体４８を支持し、スプール１８の回転に応じて、リール本体１２に設けた磁石３６，３８の磁界内にこの導電体４８を軸方向一端側から進退させ、スプール１８に作用する磁気制動力を増減する磁気制動装置３４を備えた魚釣用リールであって、導電体４８の軸方向他端側に、磁石３６，３８に対向するフランジ部５０を半径方向に延設した魚釣用リール。【選択図】      図２
2008278777.tif 000002
【特許請求の範囲】
【請求項１】
リール本体に回転自在に支持したスプールの一側に、このスプールと共に回転するスプール軸に対して軸方向移動可能にかつ回り止めした導電体を支持し、前記スプールの回転に応じて、前記リール本体に設けた磁石の磁界内にこの導電体を軸方向一端側から進退させ、スプールに作用する磁気制動力を増減する磁気制動装置を備えた魚釣用リールであって、
前記導電体の軸方向他端側に、前記磁石に対向するフランジ部を半径方向に延設したことを特徴とする魚釣用リール。
【発明の詳細な説明】
【技術分野】
【０００１】
本発明は、魚釣用リールに関し、特に、釣糸放出操作時におけるバックラッシュを防止する磁気制動装置を備えた魚釣用リールに関する。
【背景技術】
【０００２】
通常、魚釣用リールのスプールの過回転を防止するブレーキ装置として、遠心摩擦ブレーキ装置あるいは磁気ブレーキ装置が設けられる。
【０００３】
遠心摩擦ブレーキ装置は、スプール回転時の遠心力でブレーキシューをリール本体に支持された環状制動面に当接させることでスプール回転に制動をかける構成を備えており、キャスティング操作の初期における急激な制動力増加による飛距離の低下を生じ、また、終期におけるバックラッシュ現象が発生し易い。
【０００４】
一方、磁気ブレーキ装置は、リール本体に設けた磁石が形成する磁束をスプールと共に回転する導電体に作用させ、この導電体に形成される渦電流と磁束との相互作用でスプールの回転方向と逆方向の制動力を形成する構成を備えており、スプールが回転している間は常に導電体に渦電流が誘導され、制動力が作用するために、特に、キャスティング操作の終期に飛距離が伸びない。
【０００５】
このため、キャスティング操作の初期および終期にスプールに制動力が作用するのを防止することにより、仕掛けの飛距離を増大し、バックラッシュを防止するため、スプールの回転速度に応じて遠心カラーの径方向移動を導電体の軸方向移動に変換し、この導電体を元の位置に復帰させようとする付勢力に抗して、リール本体に設けた磁石が形成する磁界内に進退可能とした磁気制動装置を備える魚釣用リールが開発されている（例えば特許文献1参照）。
【０００６】
この魚釣用リールの磁気制動装置では、スプールが低速回転している際は、付勢力の作用で導電体が磁界の外側に配置されることにより、制動力は作用せず、また、キャスティング操作の初期の回転の立ち上がり時における不要な抑制力がスプール回転に作用しなくなり、立ち上がりがスムースとなり、従来の磁気ブレーキ装置および遠心摩擦ブレーキ装置に比べて飛距離を向上することができる。
【特許文献１】特許第３５１５８７５号公報
【発明の開示】
【発明が解決しようとする課題】
【０００７】
しかし、バックラッシュ現象は、キャスティング操作直後の極僅かな時間経過後にスプールの回転速度がピークに達し、一方、仕掛けを放出する際の釣糸の張力は、スプールの回転速度がピークに達した付近から徐々に小さくなり、スプールの周速度が釣糸の速度を超えることにより、生じ易くなる。このため、キャスティング操作の直後において瞬間的に強く制動することが要求されることになる。
【０００８】
これに対し、スプールの回転速度に応じて導電体を磁界内に進退させる磁気制動装置は、この導電体を磁界の外側に向けて付勢されており、また、導電体の径方向に沿って内周側と外周側とで対向する磁石の軸方向の端部側から磁力線の漏れが生じており、キャスティング操作直後のスプール回転速度がピーク付近に達したときの強い制動力の形成が困難である。
【０００９】
本発明は、このような事情に基づいてなされたもので、キャスティング操作直後のスプール回転速度がピーク速度近辺に達したときに強い制動力を効果的に作用させることが可能な魚釣用リールを提供することを目的とする。
【課題を解決するための手段】
【００１０】
上記目的を達成するため、本発明によると、リール本体に回転自在に支持したスプールの一側に、このスプールと共に回転するスプール軸に対して軸方向移動可能にかつ回り止めした導電体を支持し、前記スプールの回転に応じて、前記リール本体に設けた磁石の磁界内にこの導電体を軸方向一端側から進退させ、スプールに作用する磁気制動力を増減する磁気制動装置を備えた魚釣用リールであって、前記導電体の軸方向他端側に、前記磁石に対向するフランジ部を半径方向に延設した魚釣用リールが提供される。
【発明の効果】
【００１１】
この魚釣用リールによると、リール本体に設けられた磁石に対して、軸方向一端側から進退する導電体の他端側に、磁石に対向するフランジを半径方向に延設したことにより、スプール回転速度がピーク速度付近に達すると、導電体が磁界内に移動し、このフランジ部にも磁束が作用して、磁石による効率のよい磁気制動力が形成される。これにより、キャスティング操作直後のスプール回転速度がピーク速度近辺に達したときに強い制動力を効果的に作用させることが可能な魚釣用リールが得られる。
【発明を実施するための最良の形態】
【００１２】
図１から図３は、本発明の好ましい実施形態による魚釣用リール１０を示す。
【００１３】
図１に全体を示すように、本実施形態の魚釣用リール１０は、両軸受型手巻きリールとして形成してある。この魚釣用リール１０のリール本体１２は、図示しない連結部材等で一体化される左右一対のフレーム１４ａ，１４ｂのそれぞれの外側に、例えばビス、螺合あるいは嵌合等の手段により、側板１６ａ，１６ｂを取付けて、全体的に剛性構造のハウジングとして形成され、図示しない取付脚部を介して釣竿に固定される。
【００１４】
釣糸が巻回されるスプール１８は、左右のフレーム１４ａ，１４ｂ間に回転自在に支持され、左側板１６ａは、スプール１８を回転駆動させる巻取り駆動部（図示しない）を支持し、この左側板１６ａと左フレーム１４ａとの間に形成された空間内に、この駆動部を形成する駆動力伝達系やドラグ系等の各種機構が収容されている。なお、左右は図中における左右方向を示し、実釣中における左右の方向を示すものではない。
【００１５】
このリール本体１２のフレーム１４ａ，１４ｂ間には、スプール１８を装着してこのスプール１８と共に回転するスプール軸２０の両端部が、例えば図示のようなボール軸受２２ａ，２２ｂを介して回転自在に支持されている。このスプール軸２０の一端側には、ハンドル２４で回転駆動されるピニオン２６がこのスプール軸２０と同軸状に配置されている。
【００１６】
このピニオン２６は、図示しない公知の伝達機構を介して、側板１６ａ，１６ｂ間に配置したクラッチレバー２８と連動しており、このクラッチレバー２８を下方に押圧作動することにより、公知の図示しない連結及び作動部材を介して軸方向に沿って移動することができる。例えば、図１に示すスプール軸２０の左端部にピニオン２６が嵌合した位置すなわち巻取状態と、スプール軸２０の左端部からピニオン２６を分離した状態（スプールフリー状態）とすることができる。又、ピニオン２６が分離した状態で、ハンドル２４を回転させると、図示しない公知の復帰機構を介して、ピニオン２６がスプール軸２０の左端部に嵌合して元の状態（巻取状態）に復帰し、スプール軸２０と一体化されているスプール１８が、ピニオン２６と共に一体的に回転する。
【００１７】
このスプール１８は、軸方向の両側に形成された一対の鍔部１８ａ，１８ａ間に位置する円筒状の胴部１８ｂを有し、胴部１８ｂの内周側に位置する中央壁部１８ｃを介してスプール軸２０に一体的に装着され、鍔部１８ａ，１８ａと釣糸巻回胴部１８ｂの外周面とで形成される環状溝内に釣糸（図示しない）が巻回される。この環状溝の底部を形成する胴部１８ｂ上に釣糸（図示しない）を均等に巻回するため、ハンドル２４の釣糸巻取り回転に連動して、一対の左右のフレーム１４ａ，１４ｂ間を往復動する公知のレベルワインド機構３０が配置されている。このレベルワインド機構３０は、左側板１６ａ内の駆動部と連動する係合子３２を左右に移動することにより、ハンドル２４の回転操作にともなって、釣糸をスプール１８の胴部１８ｂ上に均等に巻き取ることができる。そして、ハンドル２４の反対側に位置する一側には、スプール１８の過回転を防止する磁気制動装置３４を配置してある。
【００１８】
図２および図３に拡大して示すように、この磁気制動装置３４は、磁場を径方向に配向させるＮ極とＳ極とを周方向に沿って複数対を交互に逆向きに着磁させた内側リング磁石３６と、この内側リング磁石３６と逆方向に着磁された外側リング磁石３８とを備える。これらの内側リング磁石３６と外側リング磁石３８とは、図１に示すようにそれぞれリング状の内側保持板４０と外側保持板４２とを介して、スプール軸２０と同心状に、右フレーム１４ｂに装着され、その間に配置される環状間隙４４に磁界を形成する。
【００１９】
尚、外側リング磁石３８は、右側板１６ｂに装着したツマミ４６（図１参照）を回転操作することにより、スプール軸２０の軸線を中心として回転し、以下に説明する導電体４８に作用する磁力を調節可能に構成されている。これとは逆に、内側リング磁石３６を移動するようにすることも可能である。
【００２０】
この磁気制動装置３４の導電体４８は、内側リング磁石３６の外径よりも大きく、かつ外側リング磁石３８の内径よりも小さい円筒状に形成してあり、スプール１８と一体的に回転し、環状間隙４４内に形成される磁界内に、スプール１８の回転速度に応じて、軸方向の一端側から進退する。この導電体４８の軸方向寸法は、磁力の強さ、導電部材４８の軸方向変換量等、適宜設定される。この軸方向の他端側には、内側リング磁石３６および外側リング磁石３８の側面に対向する内側フランジ部５０ａおよび外側フランジ部５０ｂからなるフランジ部５０が円筒状の導電体４８の半径方向内方及び外方に延設されている。
【００２１】
この導電体４８は、リング磁石３６，３８とほぼ等しい軸方向寸法を有し、その全体が環状間隙４４内に挿入されたときに、フランジ部５０がこれらのリング磁石３６，３８の側面すなわちスプール１８側の端部に隣接し、これらのリング磁石３６，３８の側面側から漏れ出る磁束の範囲内に配置される。これらの円筒状の導電体４８およびフランジ部５０は、例えばアルミニウムあるいは銅等の非磁性の導電性材料で形成されており、これらの磁束内を移動するときに、渦電流が誘導される。
【００２２】
特に、図２に詳細に示すように、本実施形態の導電体４８およびフランジ部５０は、スプール軸２０の非円形断面部２０ａに軸方向移動が可能でかつ回転不能に装着されるボス部５２に、このボス部５２の一端側の外周部から半径方向外方に突出した支持部部５４を介して支えられている。このボス部５２および支持部５４は、導電体４８およびフランジ部５０に作用する制動力をスプール軸２０に伝達できる強さを持つものであれば、適宜の樹脂または金属材料で形成することができる。
【００２３】
この支持部５４およびボス部５２は、軽量化の面で樹脂材で形成することが好ましく、この場合には、ボス部５２と一体の樹脂材製コア部を形成し、このコア部の表面側に非磁性導電材料で形成した導電体４８およびフランジ部５０を配置して形成することもできる。また、ボス部５２および支持部５４を、導電体４８およびフランジ部５０と共に非磁性の金属で一体に形成することも可能である。。更に、導電体４８とフランジ部５０とを、ボス部５２および支持部５４に対して別部材で形成してもよく、この場合には、それぞれ最適材料で形成した後、通常の方法により、一体に固定することができる。
【００２４】
このボス部５２は、スプール軸２０の一端側で、バネ受５６を介して支えられたコイルバネ５８により、環状間隙４４から離隔する方向すなわちスプール１８側に向けて付勢されている。また、ボス部５２の外周部には、支持部５４とハンドル２４側端部との間の部位から、移動部材６０を径方向に沿って摺動自在に装着した移動ガイド６２が径方向外方に突出させて設けられている。
【００２５】
この移動部材６０は、スプール１８と共にボス部５２が回転したときに、遠心力の作用により、移動ガイド６２に沿って半径方向外方に移動し、スプール１８の内周面に形成されたテーパ状案内部６４に係合する。このテーパ状案内部６４は、胴部１８ｂの内周側で、スプール１８の軸方向外方すなわち右フレーム１４ｂ側に向けて拡径しており、移動部材６０が係合したときに、この移動部材６０の径方向外方への移動をコイルバネ５８の付勢力に抗する軸方向移動に変換する。
【００２６】
本実施形態の移動部材６０は軟質または硬質の合成樹脂材料で形成され、移動ガイド６２に回り止めされた状態で、この移動ガイド６２上をスプール軸２０の径方向に沿って移動される。この移動部材６０の頂部、すなわち、スプール１８の胴部１８ｂの径方向内側に形成されたテーパ状案内部６４に対向する側の端部には、スプール１８の軸方向に沿って傾斜すると共に、スプール１８の周方向に沿って凸状に湾曲するのが好ましい摺接面６０ａが形成されている。
【００２７】
このスプール１８の胴部１８ｂの内側に形成するテーパ状案内部６４には、移動部材６０の摺接面６０ａに対応した湾曲形状の摺接案内面（図示しない）が軸方向に沿って凹設されるのが好ましく、このような摺接案内面を設けることにより、スプール１８の中央壁部１８ｃに近接する部位から鍔部１８ａが配置された外側開口端まで、接触した移動部材６０の摺接面６０ａを軸方向に沿って案内することができる。このような摺接案内面を設ける場合には、移動部材６０の摺接面６０ａの周方向に沿う曲率に等しい曲率に形成し、移動部材６０が中央壁部１８ｃに近接した位置から鍔部１８ａに近接した位置との間の、いずれの位置に配置された場合であっても、摺接面６０ａと摺接案内面との間の接触面の形状あるいはその面積を常に一定に保持することが好ましい。
【００２８】
このような磁気制動装置３４を設けた魚釣用リール１０は、スプール１８が回転してないときは、移動部材６０に遠心力が作用しないため、図２に示すように、ボス部５２はコイルバネ５８の付勢力でスプール１８の中央壁部１８ｃ側に押圧され、導電体４８およびフランジ部５０は、内側リング磁石３６と外側リング磁石３８との間の間隙４４の外側（中央壁部１８ｃ側）に配置される。したがって、導電体４８およびフランジ部５０は、内側リング磁石３６および外側リング磁石３８による磁界の影響を殆ど受けず、スプール１８は非制動状態に維持される。ボス部５２および移動部材６０はコイルバネ５８の付勢力で確実に所定位置に保持され、ガタ付きが防止される。
【００２９】
図３は、スプール１８の回転による磁気制動作用を示す。
【００３０】
スプール１８が回転すると、移動部材６０には、このスプール１８の回転による遠心力が作用する。移動部材６０が移動ガイド６２に沿って半径方向外方に移動され、移動部材６０の摺接面６０ａがテーパ状案内部６４の摺接案内面に押圧される。この摺接案内面すなわちテーパ状案内部６４は、移動部材６０に作用する径方向外方への力を、図中右方の右フレーム１４ｂに向く軸方向の力に変換し、図３の（Ａ）に二点鎖線で示すように、導電体４８を環状間隙４４内に移動し、コイルバネ５８の付勢力と釣合った位置に、この導電体４８および移動部材６０を保持する。
【００３１】
図３の（Ｂ）は、この移動部材６０が最も径方向外方に移動した状態を示す。この移動部材６０の移動により、支持部５４を介してボス部５２に保持された導電体４８のほぼ全体が内側リング磁石３６と外側リング磁石３８との間の間隙４４内に配置され、内側フランジ部５０ａおよび外側フランジ部５０ｂがそれぞれ内側リング磁石３６および外側リング磁石３８の側面側に極隣接した位置に配置される。導電体４８には内側リング磁石３６および外側リング磁石３８による磁界の影響で渦電流が発生し、フランジ部５０の内側フランジ部５０ａおよび外側フランジ部５０ｂにも、これらのリング磁石３６，３８の側面側から漏れ出た磁束が通過し、この磁界の影響で渦電流が発生し、スプール１８の回転を抑制する。
【００３２】
このとき、内側および外側リング磁石３６，３８の側面側から漏れ出る磁力線が少なくとも、フランジ部５０がこれらのリング磁石３６，３８に極めて近い位置まで接近することができるため、導電体４８による制動力に加え、フランジ部５０を介して制動力を作用させることができるため、全体に大きな制動力を形成することができる。特に、このフランジ部５０に作用する磁界は、リング磁石３６，３８に近づくほど急激に大きくなり、これにより、例えば、キャスティング操作直後のスプール回転速度がピーク速度近辺に達したときに、強い制動力を効果的に作用させることが可能となる。
【００３３】
そして、スプール１８の回転が低下して移動部材６０に作用する遠心力が低下し、コイルバネ５８の付勢力が優勢となると、このコイルバネ５８の軸方向に作用する付勢力が、テーパ状案内部６４の摺接案内面で移動部材６０を半径方向内方に付勢する付勢力に変換され、この変換された半径方向内方の力で、移動部材６０がボス部５２側に移動される。導電体４８は間隙４４から退出する方向に移動され、したがって、磁気制動装置３４は、スプール１８の回転速度の増減に応じて、制動力を自動調整し、スプール１８の過回転を防止する。
【００３４】
このように、キャスティング等によるスプール１８の高速回転で、移動部材６０がテーパ状案内部６４の摺接案内面に沿って、中央壁部１８ｃから鍔部１８ａに向けて大径部側に向け、あるいはその逆方向に移動する際、移動部材６０とテーパ状案内部６４とがそれぞれ対応した周方向の曲率を有する接触面を介して係合することにより、移動部材６０がスプール軸２０の軸方向に沿ういずれの位置にあっても、移動部材６０とテーパ状案内部６４との間の接触面の形状あるいは面積が一定に保持され、これらの接触状態が変化することはない。移動部材６０はテーパ状案内部６４に対して、安定した接触状態で維持され、スプール１８の高速回転時における磁気制動装置３４の振動およびノイズの発生を確実に防止して快適な魚釣操作を行うことができる。
【００３５】
なお、移動部材６０を案内する移動ガイド６２を、フランジ部５０から離隔した位置に配置したが、移動部材６０をフランジ部５０に装着し、このフランジ部５０上を半径方向に移動するように形成することも可能である。この場合には、導電体４８およびフランジ部５０をスプール１８の胴部１８ｂ内の限られたスペース内への配置が可能となり、全体としてコンパクトな構造とすることも可能である。
【００３６】
図４は他の実施形態による魚釣用リール１０を示す。なお、以下に説明する種々の実施形態あるいは変形例は、基本的には上述の実施形態と同様であるため、同様な部分には同様な符号を付して詳細な説明を省略する。
【００３７】
図４に示す魚釣用リール１０は、磁気制動装置３４が上述の実施形態における内側リング磁石３６に代えて、磁性体からなるリング状部材６６を設け、低コスト、コンパクト化を可能としたものであり、このリング状部材６６は例えば強磁性の鉄系材料で形成することが好ましい。
【００３８】
また、図５は、更に他の実施形態による魚釣用リール１０を示し、この実施形態では、内側リング磁石を省略し、低コスト及び軽量化を造可能としたものである。
【００３９】
図６から図８は、更に他の実施形態を示し、この実施形態では、導電体４８の軸方向位置を外部から視認可能に形成してある。
【００４０】
図６に示すように、リール本体１２の上部における外側リング磁石３８に臨む部位に、右フレーム１４ｂおよび右側板１６ｂにわたる矩形形状の窓孔６８を形成してあり、この窓孔６８の周部に沿って形成した段部６９に透明カバー７０を防水した状態で装着してある。窓孔６８の周部に沿う段部６９は、透明カバー７０の板厚とほぼ等しい深さに形成してあり、この段部６９に載置されることにより、透明カバー７０の外面がリール本体１２の外面と同一面に配置される。この透明カバー７０は、異物との接触により傷つきにくいものであれば、適宜の材料で形成することができる。
【００４１】
図７および図８に示すように、この窓孔６８を通して磁気制動装置３４の外側リング磁石３８のスプール１８側縁部を見ることができる。そして、導電体４８の外周面には、この窓孔６８を通して外部から視認できる範囲に、着色あるいは模様を形成した移動表示部７２を形成してあり、この移動表示部７２により、導電体４８の位置すなわちスプール１８の回転状態あるいは磁気制動装置３４の制動状態を確認することができる。
【００４２】
本実施形態では、この移動表示部７２を軸方向内側から順に赤色部７２ａと、オレンジ色部７２ｂと、黄色部７２ｃとに色分けすることで形成してあり、これらの着色部の位置を窓孔６８を介して介して視認することができる。例えば図７はスプール１８が最大の回転速度で回転している状態であり、このときに、赤色部７２ａを窓孔６８から視認することで確認することができる。また、図８に示すように、黄色部７２ｃが窓孔６８から視認できた場合には、スプール１８が最小回転あるいは停止状態にあることを確認することができる。オレンジ色部７２ｂを視認したときは、中間位置であり、回転速度の増速中あるいは減速中であるか確認することができる。
【００４３】
なお、これらの着色部７２ａ〜７２ｃは更に細かく色分けしてもよく、また、全周にわたって形成し、あるいは窓孔６８を通して視認で切るものであれば、周方向に沿う一部にのみ形成してもよい。また、蛍光色、あるいは、光輝性のある着色も可能である。
【００４４】
図９は、窓孔６８を狭く形成した実施形態を示し、この魚釣用リール１０では、窓孔６８は右側板１６ｂにのみ形成してある。このように窓孔６８をスプール１８の軸方向に沿う寸法を短く形成することにより、リンク磁石３８の側部に位置する導電体４８のみ表示することが可能となる。
【００４５】
なお、本発明は、上述の実施形態あるいは種々の変形例に限るのものではなく、これらの実施形態および変形例を様々に組合せ、あるいは変更するこも可能である。例えば、図６から図９に示す魚釣用リール１０の導電体４８にも、フランジ部５０を設けてもよい。
【図面の簡単な説明】
【００４６】
【図１】本発明の好ましい実施形態による魚釣用リールを示す部分断面図。
【図２】図１に示す魚釣用リールの一部を拡大した磁気制動装置を示す断面図。
【図３】図２の磁気制動装置の作動状態を説明する説明図。
【図４】他の実施形態による魚釣用リールの磁気制動装置の断面図。
【図５】更に他の実施形態による魚釣用リールの図４と同様な断面図。
【図６】更に他の実施形態による魚釣用リールの平面図。
【図７】図６の魚釣用リールの一部を拡大した説明図であり、（Ａ）は窓孔の拡大図、（Ｂ）は（Ａ)のＢ−Ｂ線に沿う断面図。
【図８】スプールが停止した状態の図７と同様な説明図。
【図９】更に他の実施形態による魚釣用リールを示し、（Ａ）はその平面図、（Ｂ）は（Ａ）の鎖線部分Ｂの拡大図。
【符号の説明】
【００４７】
１０…魚釣用リール、１２…リール本体、１８…スプール、２０…スプール軸、３４…磁気制動装置、３６…内側リング磁石、３８…外側リング磁石、４８…導電体、５０…フランジ部。
【図１】
2008278777.tif 000003
【図２】
2008278777.tif 000004
【図３】
2008278777.tif 000005
【図４】
2008278777.tif 000006
【図５】
2008278777.tif 000007
【図６】
2008278777.tif 000008
【図７】
2008278777.tif 000009
【図８】
2008278777.tif 000010
【図９】
2008278777.tif 000011